(57)【要約】【課題】放射線遮蔽保護具および上着放射線保護具において、胸部及び上腕部、腹部及び大腿部における被ばく線量を抑えることができる放射線遮蔽保護具および上着放射線保護具を提供する。【解決手段】本発明の放射線遮蔽保護具は、装着者の少なくとも臀部の後部を覆う後部股上部カバー部と、装着者の少なくとも腹下部の前部を覆う前部股上部カバー部と、装着者の右足大腿部の少なくとも半分以上を覆う右足大腿部カバー部と、装着者の左足大腿部の少なくとも半分以上を覆う左足大腿部カバー部と、を有し、後部股上部カバー部、前部股上部カバー部、右足大腿部カバー部及び左足大腿部カバー部は、放射線からの被ばくを防護する材質から形成される。【選択図】図１
2015219207.tif 000002
【特許請求の範囲】
【請求項１】
装着者の少なくとも臀部の後部を覆う後部股上部カバー部と、
装着者の少なくとも腹下部の前部を覆う前部股上部カバー部と、
装着者の右足大腿部の少なくとも半分以上を覆う右足大腿部カバー部と、
装着者の左足大腿部の少なくとも半分以上を覆う左足大腿部カバー部と、を有し、
前記後部股上部カバー部、前記前部股上部カバー部、前記右足大腿部カバー部及び前記左足大腿部カバー部は、放射線からの被ばくを防護する材質から形成される
放射線遮蔽保護具。
【請求項２】
連結補助具を有し、
前記連結補助具は、前記後部股上部カバー部の右側端部及び左側端部の少なくとも一方と接続状態又は非接続状態となることができ、
装着者が放射線遮蔽保護具を装着する際に、
前記連結補助具を非接続状態として、前記後部股上部カバー部を装着者の臀部に装着し、その後、前記連結補助具を接続状態にすることによって、
前記後部股上部カバー部を装着者の臀部の所定の位置に保持する
請求項１記載の放射線遮蔽保護具。
【請求項３】
前記右足大腿部カバー部は、
前記後部股上部カバー部に連接される後部右足大腿部カバー部と、
前記前部股上部カバー部に連接される前部右足大腿部カバー部と、
を有し、
前記左足大腿部カバー部は、
前記後部股上部カバー部に連接される後部左足大腿部カバー部と、
前記前部股上部カバー部に連接される前部左足大腿部カバー部と、
を有し、
前記後部股上部カバー部及び後部右足大腿部カバー部には、後部右面ファスナーが形成され、
前記後部股上部カバー部及び後部左足大腿部カバー部には、後部左面ファスナーが形成され、
前記前部股上部カバー部及び前部右足大腿部カバー部には、前部右面ファスナーが形成され、
前記前部股上部カバー部及び前部左足大腿部カバー部には、前部左面ファスナーが形成され、
前記後部右面ファスナーは、前記後部股上部カバー部及び前記後部右足大腿部カバー部の装着者側とは反対側の面に形成され、
前記後部左面ファスナーは、前記後部股上部カバー部及び前記後部左足大腿部カバー部の装着者側とは反対側の面に形成され、
前記前部右面ファスナーは、前記前部股上部カバー部及び前記前部右足大腿部カバー部の装着者側に形成され、
前記前部左面ファスナーは、前記前部股上部カバー部及び前記前部左足大腿部カバー部の装着者側に形成されている
請求項２記載の放射線遮蔽保護具。
【請求項４】
装着者の少なくとも臀部の後部を覆う後部股上部カバー部と、
装着者の少なくとも腹下部の前部を覆う前部股上部カバー部と、
連結補助具を有し、
前記連結補助具は、前記後部股上部カバー部の右側端部及び左側端部の少なくとも一方と接続状態又は非接続状態となることができ、
装着者が放射線遮蔽保護具を装着する際に、
前記連結補助具を非接続状態として、前記後部股上部カバー部を装着者の臀部に装着し、その後、前記連結補助具を接続状態にすることによって、
前記後部股上部カバー部を装着者の臀部の所定の位置に保持する
放射線遮蔽保護具。
【請求項５】
前記放射線遮蔽保護具は、サスペンダー式に装着者の方からつるして所定の位置に保持することが可能に形成される
請求項１〜４いずれか１項に記載の放射線遮蔽保護具。
【請求項６】
装着者の上半身に装着可能な上着放射線保護具であって、
前記上着放射線保護具は、装着者の右上腕部の少なくとも半分以上をカバーし、
前記上着放射線保護具は、装着者の左上腕部の少なくとも半分以上をカバーする
上着放射線保護具。
【発明の詳細な説明】
【技術分野】
【０００１】
本発明は、放射線から人体を保護する放射線遮蔽保護具および上着放射線保護具に関するものである。
【背景技術】
【０００２】
従来、放射線環境下での作業員用放射線遮蔽体として、たとえば特許文献１に記載されているような放射線用遮蔽体が利用されている。特許文献１では、可撓性の有る袋体からなる着衣となっており、袋体の内部に遮蔽液体を入れる技術となっている。遮蔽体が液体であるため、それまでの固形物を採用した放射線遮蔽体に比較して、柔軟性があり、着衣時に人体にフィットし、作業性を損なわないとしている。
【０００３】
また、特許文献２では、短時間での疲労を招くことなく、身体への装着感が良好で、作業性に優れた防護服が開示されている。重量がある上着の防護服の重量の一部を腰部ベルトで支持するように上着に腰部ベルトが形成されている。
【０００４】
さらに、特許文献３では、放射線遮蔽能力に優れ、作業員の作業効率を長時間維持できる放射線防護服が開示されている。
【先行技術文献】
【特許文献】
【０００５】
【特許文献１】特開平９−２９７１９４号公報
【特許文献２】特開２０１３−２３７９５５号公報
【特許文献３】特開２０１４−２０２９号公報
【発明の概要】
【発明が解決しようとする課題】
【０００６】
人体への被ばくが想定される環境下において、作業者は、放射線から身を守る保護服の着用が義務づけられている。さらに、放射線障害防止法に従い設立された原子力安全技術センターより、人体を守るための被ばく線量の測定・評価マニュアルによる被ばく線量の基準の提示がある。
【０００７】
そこで、発明者らは、従来のように人体の胸部、腹部だけでなく、人体の胸部及び上腕部、腹部及び大腿部を保護することで、被ばく線量を抑えられることを発見し、規定された基準を満たす保護服が提供できることがわかった。
【０００８】
そこで、本発明は、上述した事情に鑑みてなされたものであり、放射線遮蔽保護具および上着放射線保護具において、胸部及び上腕部、腹部及び大腿部における被ばく線量を抑えることができる放射線遮蔽保護具および上着放射線保護具を提供することを目的とする。
【課題を解決するための手段】
【０００９】
上記課題を解決するために、本発明の放射線遮蔽保護具は、装着者の少なくとも臀部の後部を覆う後部股上部カバー部と、装着者の少なくとも腹下部の前部を覆う前部股上部カバー部と、装着者の右足大腿部の少なくとも半分以上を覆う右足大腿部カバー部と、装着者の左足大腿部の少なくとも半分以上を覆う左足大腿部カバー部と、を有し、後部股上部カバー部、前部股上部カバー部、前記右足大腿部カバー部及び前記左足大腿部カバー部は、放射線からの被ばくを防護する材質から形成される。
【００１０】
また、好適には、連結補助具を有し、連結補助具は、後部股上部カバー部の右側端部及び左側端部の少なくとも一方と接続状態又は非接続状態となることができ、装着者が放射線遮蔽保護具を装着する際に、連結補助具を非接続状態として、後部股上部カバー部を装着者の臀部に装着し、その後、連結補助具を接続状態にすることによって、後部股上部カバー部を装着者の臀部の所定の位置に保持する。
【００１１】
また、好適には、右足大腿部カバー部は、後部股上部カバー部に連接される後部右足大腿部カバー部と、前部股上部カバー部に連接される前部右足大腿部カバー部と、を有し、左足大腿部カバー部は、後部股上部カバー部に連接される後部左足大腿部カバー部と、前部股上部カバー部に連接される前部左足大腿部カバー部と、を有し、後部股上部カバー部及び後部右足大腿部カバー部には、後部右面ファスナーが形成され、後部股上部カバー部及び後部左足大腿部カバー部には、後部左面ファスナーが形成され、前部股上部カバー部及び前部右足大腿部カバー部には、前部右面ファスナーが形成され、前部股上部カバー部及び前部左足大腿部カバー部には、前部左面ファスナーが形成され、後部右面ファスナーは、後部股上部カバー部及び後部右足大腿部カバー部の装着者側とは反対側の面に形成され、後部左面ファスナーは、後部股上部カバー部及び後部左足大腿部カバー部の装着者側とは反対側の面に形成され、前部右面ファスナーは、前部股上部カバー部及び前部右足大腿部カバー部の装着者側に形成され、前部左面ファスナーは、前部股上部カバー部及び前部左足大腿部カバー部の装着者側に形成されている。
【００１２】
また、本発明の放射線遮蔽保護具は、装着者の少なくとも臀部の後部を覆う後部股上部カバー部と、装着者の少なくとも腹下部の前部を覆う前部股上部カバー部と、連結補助具を有し、連結補助具は、後部股上部カバー部の右側端部及び左側端部の少なくとも一方と接続状態又は非接続状態となることができ、装着者が放射線遮蔽保護具を装着する際に、連結補助具を非接続状態として、後部股上部カバー部を装着者の臀部に装着し、その後、連結補助具を接続状態にすることによって、後部股上部カバー部を装着者の臀部の所定の位置に保持する。
【００１３】
また、好適には、放射線遮蔽保護具は、サスペンダー式に装着者の方からつるして所定の位置に保持することが可能に形成される。
【００１４】
また、本発明の上着放射線保護具は、装着者の上半身に装着可能な上着放射線保護具であって、上着放射線保護具は、装着者の右上腕部の少なくとも半分以上をカバーし、上着放射線保護具は、装着者の左上腕部の少なくとも半分以上をカバーする。
【発明の効果】
【００１５】
本発明によれば、放射線遮蔽保護具および上着放射線保護具において、胸部及び上腕部、腹部及び大腿部における被ばく線量を抑えることができる。
【図面の簡単な説明】
【００１６】
【図１】本発明の第１実施形態に係る放射線遮蔽保護具１を正面から見た図である。
【図２】本発明の第１実施形態に係る放射線遮蔽保護具１を開いた状態で前面から見た図である。
【図３】本発明の第１実施形態に係る放射線遮蔽保護具１を開いた状態で後ろ面から見た図である。
【図４】本発明の第１実施形態に係る放射線遮蔽保護具１を穿く工程を説明する図である。
【図５】本発明の第１実施形態に係る放射線遮蔽保護具１を穿く工程を説明する図である。
【図６】本発明の第１実施形態に係る放射線遮蔽保護具１を穿く工程を説明する図である。
【図７】本発明の第１実施形態に係る放射線遮蔽保護具１を穿く工程を説明する図である。
【図８】本発明の第１実施形態に係る放射線遮蔽保護具１を穿き、サスペンダーによって放射線遮蔽保護具１をつるした状態を示す図である。
【図９】本発明の第２実施形態に係る放射線遮蔽保護具１’を正面から見た図である。
【図１０】本発明の第２実施形態に係る放射線遮蔽保護具１’を開いた状態で前面から見た図である。
【図１１】本発明の第２実施形態に係る放射線遮蔽保護具１’を開いた状態で後ろ面から見た図である。
【図１２】本発明の第２実施形態に係る放射線遮蔽保護具１’を穿き、サスペンダーによって放射線遮蔽保護具１’をつるした状態を示す図である。
【図１３】本発明の第３実施形態に係る上着放射線保護具を身に付けた状態を示す図である。
【図１４】従来の保護具１００を正面から見た図である。
【発明を実施するための形態】
【００１７】
＜本発明の第１実施形態＞
図１は、本発明の第１実施形態に係る放射線遮蔽保護具１を正面から見た図である。放射線遮蔽保護具１は、装着者の少なくとも臀部の後部を覆う後部股上部カバー部１０と、装着者の少なくとも腹下部の前部を覆う前部股上部カバー部２０と、装着者の右足大腿部の少なくとも半分以上を覆う右足大腿部カバー部２１と、装着者の左足大腿部の少なくとも半分以上を覆う左足大腿部カバー部２２とを有する。
【００１８】
後部股上部カバー部１０は、装着者の前部である腹部まで、左右から周り込むように形成されている。後部股上部カバー部１０の右足側には、装着者の右足大腿部の後部をカバーする後部右足大腿部カバー部１１が連接されている。後部股上部カバー部１０の左足側には、装着者の左足大腿部の後部をカバーする後部左足大腿部カバー部１２が連接されている。
【００１９】
前部股上部カバー部２０は、後部股上部カバー部１０の股部１０Ｍから連接して形成されている。前部股上部カバー部２０の右足側には、装着者の右足大腿部の前部をカバーする前部右足大腿部カバー部２３が連接されている。前部股上部カバー部２０の左足側には、装着者の左足大腿部の前部をカバーする前部左足大腿部カバー部２４が連接されている。
【００２０】
なお、本実施形態において、後部股上部カバー部１０と後部右足大腿部カバー部１１と後部左足大腿部カバー部１２と前部股上部カバー部２０と右足大腿部カバー部２１と左足大腿部カバー部２２は、複数のパーツから構成され、これらを縫い合わせて一体となった保護具としているが、別体となっていてもよい。例えば、後部股上部カバー部１０と前部股上部カバー部２０と右足大腿部カバー部２１と左足大腿部カバー部２２のそれぞれが別々となっていて、面ファスナーなどで接続または未接続の状態で人体に装着できるように形成してもいい。後部股上部カバー部１０、後部右足大腿部カバー部１１、後部左足大腿部カバー部１２、前部股上部カバー部２０、右足大腿部カバー部２１及び左足大腿部カバー部２２は、放射線からの被ばくを防護する材質から形成される。
【００２１】
ここで、防弾防護服や放射線防護服を含む防護服について説明する。放射線防護服などの保護服は一般的に使用者の人体への物理的、化学的影響を抑える、または影響をなくすために、重くなる傾向がある。例えば、ナイフや銃弾から身を守る防弾保護服はその耐性を確保するため、重い素材が使用されている。また、特に放射線などの周波数が高い電磁波を遮蔽し、人体をその影響から守る必要がある防護服は、非常に重い。例えば、袖のないベスト状の上着で、４ｋｇ〜５．５Ｋｇの重さがあり、太腿まで覆いがない短パン状の下着でも２．７Ｋｇ〜３．３Ｋｇの重さがある。これは繊維内に鉄、鉛、金、白金、銀、銅、クロム、カドミウム、水銀、亜鉛、ヒ素、マンガン、コバルト、ニッケル、モリブデン、タングステン、錫、バリウムなどの重金属を入れ、放射線の侵入を防ぐ必要があるためである。
【００２２】
使用者は、上記のように重い保護服を着る必要があるが、一方で、放射線障害防止法に従い設立された原子力安全技術センターより、人体を守るための被ばく線量の測定・評価マニュアルによる被ばく線量の基準の提示にしたがって、人体を被ばくから守るために、保護服の着用が必要である。
【００２３】
しかしながら、従来の保護服では、使用者によれば、重いためにずれやすく、さらに作業中にずれた場合、保護服の上にさらに白衣を着たり、手袋などをしていたり、道具をもっていることもあり、ずれを修正することが難しいということであった。そこで、以下に比較のための従来の保護具を示して説明するように、本発明の放射線遮蔽保護具１によれば、ずれにくく、装着者の身体に隙間なくフィットし、遮蔽性が高い保護服を提供できる。
【００２４】
図１４は、従来の保護具１００を正面から見た図である。保護具１００は、装着者の少なくとも臀部の後部を覆う後部股上部カバー部１１０と、装着者の少なくとも腹下部の前部を覆う前部股上部カバー部１２０とを有する。後部股上部カバー部１１０は、装着者の前部である腹部まで、左右から周り込むように形成されている。後部股上部カバー部１１０の右足側には、装着者の右足大腿部の後部をカバーする後部右足大腿部カバー部１１１が連接されている。後部股上部カバー部１１０の左足側には、装着者の左足大腿部の後部をカバーする後部左足大腿部カバー部１１２が連接されている。
【００２５】
装着者は保護具１００を装着するとき、後部股上部カバー部１１０を臀部に押えながら、腹下部の前部を覆う前部股上部カバー部１２０を股下から腹部前方に持ってくる。次に前部股上部カバー部１２０を腹部に押さえつけ、さらに、後部股上部カバー部１１０を左右から前部股上部カバー部１２０の表面側（装着者側とは反対側の面）に押えつける。この際、後部股上部カバー部１１０の右端部１１１ａと前部股上部カバー部１２０の右端部１２０Ｒが重なるように押さえつける。同様に後部股上部カバー部１１０の左端部１１２ａと前部股上部カバー部１２０の左端部１２０Ｌが重なるように押さえつける。これにより、後部股上部カバー部１１０の右端部１１１ａに形成された面ファスナーと前部股上部カバー部１２０の右端部１２０Ｒに形成された面ファスナーが貼り付けられる。同様に後部股上部カバー部１１０の左端部１１２ａに形成された面ファスナーと前部股上部カバー部１２０の左端部１２０Ｌに形成された面ファスナーが貼り付けられる。
【００２６】
以上のように、装着された保護具１００は、使用に際して、装着者の前方において、作業時にひっかかる段差部（右端部１１１ａまたは左端部１１２ａと前部股上部カバー部１２０の表面によって生じる段差部）が存在し、作業の邪魔になる。またずれの原因ともなる。さらに、装着において、装着者の腰部における締め付けがない構造となっているため、ずり落ちやすい。
【００２７】
一方、本発明の放射線遮蔽保護具１は、放射線遮蔽保護具１の後部股上部カバー部１０の右側端部１０Ｒと左側端部１０Ｌを、後ろ側から周り込むようにして、装着者の腹部前方に持ってきて、連結補助具３０によって先に後部股上部カバー部１０の右側端部１０Ｒと左側端部１０Ｌとを接続状態とし、装着者の腹部を締め付けて安定させる。次に、前部を覆う前部股上部カバー部２０を股下から腹部前方に持ってくる。ここで、後部股上部カバー部１０と前部股上部カバー部２０とを右側連結補助具３１および左側連結補助具３２を介して貼り付けることで、放射線遮蔽保護具１を装着する。以上のような順番で装着するため、装着しやすく、またずり落ちにく。また、従来のような段差が装着者の腹部にないので、作業がしやすくなる。
【００２８】
さらに、前部股上部カバー部２０の右側に、前部右側ベルト通し部４１が備えられる。前部股上部カバー部２０の左側に、前部左側ベルト通し部４２が備えられる。前部右側ベルト通し部４１と前部左側ベルト通し部４２は、中心付近でもよいが、装着者の腰骨に相当する辺りの、前部股上部カバー部２０の腰幅方向外側付近に設けられている方がよい。これにより、ベルトを通したとき、よりずれにくく、放射線遮蔽保護具１を装着することができる。
【００２９】
後部股上部カバー部１０の、装着者の前部である腹部まで周り込むように形成された部位の右側端部１０Ｒと左側端部１０Ｌは連結補助具３０によって接続状態と非接続状態となることができるようになっている。なお、連結補助具３０は、後部股上部カバー部１０よりも装着者側に配置されるため、図１においては、点線で示している。具体的には、連結補助具３０の両面は、面ファスナーのループ状に密集して起毛された状態となっている。一方、放射線遮蔽保護具１側である後部股上部カバー部１０は、面ファスナーのフック状に起毛された状態となっている。これにより、ループ状に密集して起毛された側とフック状に起毛された側が押し付けられ、張り付くようにできている。
【００３０】
ここで、連結補助具３０は、放射線遮蔽保護具１と別体となっているが、右側端部１０Ｒまたは左側端部１０Ｌのどちらかと一体または縫い付けて接続状態となっていてもよい。この場合、片方だけが接続状態と非接続状態となることができるようになる。
【００３１】
なお、フック面とループ面は、逆に配置されていてもよい。つまり、後部股上部カバー部１０にループ状に密集して起毛された面ファスナーを設け、連結補助具３０にフック状に起毛された面ファスナーを設けてもよい。他にも面ファスナーは、同一面にフックとループ両方が植え込まれており、フック面とループ面との区別のないタイプ、マッシュルーム状に起毛されていて結合力が強いクリックタイプ、鋸歯状のシャークバイト（鮫歯）タイプなどでもよい。また、ファスナー式ではなく、ベルト式など他の方法によって接続するようにしてもよい。
【００３２】
なお、後部股上部カバー部１０に、面ファスナーのループ状に密集して起毛された状態を設け、前部股上部カバー部２０に面ファスナーのフック状に起毛された状態を形成し、直接、後部股上部カバー部１０と前部股上部カバー部２０を接続するようにもできるが、この場合、２つの問題がある。１つ目は、複数回使用により、面ファスナーが劣化したとき、面ファスナー部の交換に時間がかかる。面ファスナーは縫い付けてあるため、それをほどき、再度新しい面ファスナーを縫い付ける必要があるため、時間がかかる。また、その縫製の間、放射線遮蔽保護具が使えない。
【００３３】
２つ目は、後部股上部カバー部１０と前部股上部カバー部２０の右側同士、左側同士を面ファスナーによって接続した場合、後部股上部カバー部１０の右側端部１０Ｒと左側端部１０Ｌの間の空いた部分に緩みが生じ、ずれやすくなる。特に腹部の周囲が大きい身体の装着者の場合、後部股上部カバー部１０の右側端部１０Ｒと左側端部１０Ｌの間が広く空くため、前部股上部カバー部２０が緩みやすくなる。
【００３４】
ここで、本発明の連結補助具３０を用いた場合、複数回の使用による面ファスナーの劣化に対しては、連結補助具３０自体を取り換えるのみでよい。また、連結補助具３０が後部股上部カバー部１０の右側端部１０Ｒから後部股上部カバー部１０の左側端部１０Ｌに渡って、装着者の腹部をカバーするため、ずれにくく、安定して装着することができる。
【００３５】
同様に、後部股上部カバー部１０から後部右足大腿部カバー部１１に渡る右側のラインと、前部股上部カバー部２０から前部右足大腿部カバー部２３に渡る右側のラインが右側連結補助具３１によって連結される。後部股上部カバー部１０から後部左足大腿部カバー部１２に渡る左側のラインと、前部股上部カバー部２０から前部左足大腿部カバー部２４に渡る左側のラインが左側連結補助具３２によって連結される。なお、右側連結補助具３１と左側連結補助具３２は、前部股上部カバー部２０の装着者側に配置されるため、図１においては、点線で示している。さらに、次の図２において説明する面ファスナーの配置によって、装着者は放射線遮蔽保護具１をずれにくく装着することができる。
【００３６】
図２は、本発明の第１実施形態に係る放射線遮蔽保護具１を開いた状態で前面から見た図である。図２は、放射線遮蔽保護具１に設けられた面ファスナーの配置を示す図である。放射線遮蔽保護具１は、着用する前の開かれた状態では、後部股上部カバー部１０の右側端部１０Ｒと左側端部１０Ｌが左右に開かれた状態となっている。また、前部股上部カバー部２０は、下方に裏返った状態となっている。後部股上部カバー部１０は、装着者側である内側が見えた状態となっている。前部股上部カバー部２０も、裏返って、装着者側である内側が見えた状態となっている。一方、前部股上部カバー部２０から連接されている装着者の右足大腿部の前部をカバーする前部右足大腿部カバー部２３と、装着者の左足大腿部の前部をカバーする前部左足大腿部カバー部２４は、装着者側とは反対側の外側が見えた状態となっている。なお、ここで、内側（または裏側）とは、装着者が放射線遮蔽保護具１を装着したときの装着者側であり、外側（または表側）とは、装着者が放射線遮蔽保護具１を装着したときの装着者側とは反対側のことである。
【００３７】
後部股上部カバー部１０の右側端部１０Ｒと左側端部１０Ｌは、放射線遮蔽保護具１の腰部に相当する部位から脚へ向けて斜めに、扇形状を示すように形成されている。これは、人体において腰部の周囲よりも、左右の大腿部の周囲の和の方が長いためである。この右側端部１０Ｒと左側端部１０Ｌの端の線と所定の幅を空けて、後部右面ファスナー５１と後部左面ファスナー５２が、放射線遮蔽保護具１の外側に設けられている。図２において、後部右面ファスナー５１と後部左面ファスナー５２は、正面側から見ることができないため、点線で示している。
【００３８】
右側端部１０Ｒの腰部側の端と後部右面ファスナー５１の間の距離Ｒ１は、右側端部１０Ｒの大腿部側の端と後部右面ファスナー５１の間の距離Ｒ２に比べて広い。つまり、後部右面ファスナー５１は、右側端部１０Ｒの端の線と平行に設けられているのではなく、大腿部側に行くに従って、右側端部１０Ｒに近づくように斜めに設けられている。
【００３９】
同様に、左側端部１０Ｌの腰部側の端と後部左面ファスナー５２の間の距離Ｒ１は、左側端部１０Ｌの大腿部側の端と後部左面ファスナー５２の間の距離Ｒ２に比べて広い。つまり、後部左面ファスナー５２は、左側端部１０Ｌの端の線と平行に設けられているのではなく、大腿部側に行くに従って、左側端部１０Ｌに近づくように斜めに設けられている。
【００４０】
このように後部右面ファスナー５１と後部左面ファスナー５２を配置したので、腰部の周囲が大きい人から小さい人まで対応でき、また、大腿部の周囲が大きい人から小さい人まで、フィットし、ずれにくい放射線遮蔽保護具１とすることができる。
【００４１】
後部股上部カバー部１０の右側端部１０Ｒの上部に連結用右側面ファスナー５５が設けられる。後部股上部カバー部１０の左側端部１０Ｌの上部に連結用左側面ファスナー５６が設けられる。連結用右側面ファスナー５５および連結用左側面ファスナー５６は、ほぼ四角形状となっているが、その他の丸形状や台形などであってもよい。
【００４２】
連結補助具３０は、連結用右側面ファスナー５５および連結用左側面ファスナー５６に押し付けられ、互いに貼り付く。また、ループ状に密集して起毛された連結補助具３０は、フック状に起毛された連結用右側面ファスナー５５および連結用左側面ファスナー５６に対して貼り付けたり剥がしたりすることが自在にできる。
【００４３】
次に、前部股上部カバー部２０は、装着者の股下側から上側に向かって、装着者の腹部に相当する部位を覆うような形状となっている。このため、前部股上部カバー部２０は、後部股上部カバー部１０の股部１０Ｍから連接して形成されている。
【００４４】
前部股上部カバー部２０の右側の端に沿って、前部右面ファスナー５３が形成される。前部右面ファスナー５３は、前部股上部カバー部２０から前部右足大腿部カバー部２３に渡って、右側の端にそって形成される。前部股上部カバー部２０の左側の端に沿って、前部左面ファスナー５４が形成される。前部左面ファスナー５４は、前部股上部カバー部２０から前部左足大腿部カバー部２４に渡って、左側の端にそって形成される。
【００４５】
前部股上部カバー部２０の中心であって、上部裏側に前部股上部面ファスナー５７が形成されている。前部股上部面ファスナー５７は、右側端部１０Ｒと左側端部１０Ｌの間から露出する連結補助具３０に張り付き、両手で大腿部の調節ができ、より確実に着用可能となる。特に腹部の周囲が長い体型の装着者の場合、右側端部１０Ｒと左側端部１０Ｌの間が広くあき、ずれやすいので、前部股上部面ファスナー５７が前部股上部カバー部上端２０ａで連結補助具３０に張り付くことで、確実な着用に効果がある。
【００４６】
次に図３に基づいて、第１実施形態に係る放射線遮蔽保護具１を開いた状態で後ろ面から見た状態を説明する。図３は、本発明の第１実施形態に係る放射線遮蔽保護具１を開いた状態で後ろ面から見た図である。後部股上部カバー部１０の右側端部１０Ｒと左側端部１０Ｌは、放射線遮蔽保護具１の腰部に相当する部位から脚へ向けて斜めに、扇形状を示すように形成されている。この右側端部１０Ｒの端の線から所定の幅を空けて、後部右面ファスナー５１が形成されている。さらに、左側端部１０Ｌの端の線から所定の幅を空けて、後部左面ファスナー５２が形成されている。
【００４７】
後部右面ファスナー５１と後部左面ファスナー５２は、装着者側とは反対側の面、つまり表側に形成されている。また同じ表側に、２つの後部右側ベルト通し部４３と２つの後部左側ベルト通し部４４の計４つの後部ベルト通し部が形成されている。後部右側ベルト通し部４３と後部左側ベルト通し部４４は、装着者の背骨と骨盤の左右の端の中央付近に設けられる。４つの後部ベルト通し部としたが、幅の広いベルト通し部が左右に１つずつであってもよい。
【００４８】
後部股上部カバー部１０の右側端部１０Ｒの上部に連結用右側面ファスナー５５が設けられる。後部股上部カバー部１０の左側端部１０Ｌの上部に連結用左側面ファスナー５６が設けられる。連結用右側面ファスナー５５と連結用左側面ファスナー５６は、装着者側に形成されるため、図３では、点線で示している。
【００４９】
次に図４〜図７に基づいて、放射線遮蔽保護具１を穿く工程を説明する。図４〜図７は、本発明の第１実施形態に係る放射線遮蔽保護具１を穿く工程を説明する図である。
【００５０】
図４では、装着者が放射線遮蔽保護具１の後部股上部カバー部１０の右側端部１０Ｒを右手で持ち、左側端部１０Ｌを左手で持ち、後ろ側から周り込むように持った状態を示している。さらに、右手側の右側端部１０Ｒの連結用右側面ファスナー５５と連結補助具３０が張りついている。ここで、前部股上部カバー部２０は装着者の股下にぶら下がった状態となっている。
【００５１】
図５では、装着者が放射線遮蔽保護具１の後部股上部カバー部１０の右側端部１０Ｒに貼りつけた連結補助具３０を腰部の左側に押し付け、左側端部１０Ｌを左手で持った状態を示している。連結用右側面ファスナー５５と連結補助具３０が連結される。ここで、装着者は連結補助具３０を腹部および腰部に押し付け、落ち着く位置に保持する。
【００５２】
図６では、放射線遮蔽保護具１の後部股上部カバー部１０の右側端部１０Ｒと左側端部１０Ｌが連結補助具３０によって接続状態となっていることを示している。連結用右側面ファスナー５５と連結補助具３０が連結され、さらに連結用左側面ファスナー５６と連結補助具３０が連結される。これにより、装着者の腰部で後部股上部カバー部１０が周り込むように装着される。このように後部股上部カバー部１０を装着者の臀部に装着し、その後、連結補助具３０を接続状態にすることによって、後部股上部カバー部１０を装着者の臀部の所定の位置に保持する。
【００５３】
図７では、放射線遮蔽保護具１の前部股上部カバー部２０を前側に持ってきて、装着している状態を示している。後部股上部カバー部１０の後部右面ファスナー５１が、右側連結補助具３１を介して、前部股上部カバー部２０の前部右面ファスナー５３と連結する。後部股上部カバー部１０の後部左面ファスナー５２が、左側連結補助具３２を介して、前部股上部カバー部２０の前部左面ファスナー５４と連結する。これにより、装着者は、半ズボン状態となった放射線遮蔽保護具１を装着している状態となる。図中、後部右面ファスナー５１、右側連結補助具３１、前部右面ファスナー５３が同じ部位を指しているが、これは、右側連結補助具３１を介して、後部右面ファスナー５１と前部右面ファスナー５３が連結されているためである。同様に、後部左面ファスナー５２、左側連結補助具３２、前部左面ファスナー５４が同じ部位を指しているが、これは、左側連結補助具３２を介して後部左面ファスナー５２と前部左面ファスナー５４が連結されているためである。
【００５４】
次に、図８に基づいて、放射線遮蔽保護具１を穿き、サスペンダーによって放射線遮蔽保護具１をつるすことで、ずれにくく、作業がしやすい状態となることを説明する。図８は、本発明の第１実施形態に係る放射線遮蔽保護具１を穿き、サスペンダーによって放射線遮蔽保護具１をつるした状態を示す図である。
【００５５】
サスペンダーは、右側サスペンダーベルト７０、右側装着具７１、右側サスペンダー長調整具７２、左側サスペンダーベルト７３、左側装着具７４、左側サスペンダー長調整具７５によって構成される。装着者は、ベルト６０を前部右側ベルト通し部４１と前部左側ベルト通し部４２と後部右側ベルト通し部４３と後部左側ベルト通し部４４に通し、バックル６１で締め付けを調整する。さらに右側サスペンダーベルト７０が、右側装着具７１によってベルト６０に取り付けられる。右側サスペンダーベルト７０は右側サスペンダー長調整具７２によって長さが調整される。同様に左側サスペンダーベルト７３が、左側装着具７４によってベルト６０に取り付けられる。左側サスペンダーベルト７３は左側サスペンダー長調整具７５によって長さが調整される。上記のように、サスペンダー式にベルト６０が取り付けられた放射線遮蔽保護具１をつるして所定の位置に保持することにより、放射線遮蔽保護具１がずり落ちにくくなる。
【００５６】
＜本発明の第２実施形態＞
次に、図９に基づいて、本発明の第２実施形態に係る放射線遮蔽保護具を説明する。図９は、本発明の第２実施形態に係る放射線遮蔽保護具１’を正面から見た図である。放射線遮蔽保護具１’は、装着者の少なくとも臀部の後部を覆う後部股上部カバー部１０’と、装着者の少なくとも腹下部の前部を覆う前部股上部カバー部２０’とを有する。第２実施形態に係る放射線遮蔽保護具は、大腿部を覆わず、局部を覆うタイプの短パンタイプの形状となっている。このため、より装着しやすく、作業がしやすい。
【００５７】
後部股上部カバー部１０’は、装着者の前部である腹部まで、左右から周り込むように形成されている。前部股上部カバー部２０’は、後部股上部カバー部１０’の股部１０’Ｍから連接して形成されている。
【００５８】
なお、本実施形態において、後部股上部カバー部１０’と前部股上部カバー部２０’は、複数のパーツから構成され、これらを縫い合わせて一体となった保護具としているが、別体となっていてもよい。例えば、後部股上部カバー部１０’と前部股上部カバー部２０’のそれぞれが別々となっていて、面ファスナーなどで接続または未接続の状態で人体に装着できるように形成してもいい。後部股上部カバー部１０’、前部股上部カバー部２０’は、放射線からの被ばくを防護する材質から形成される。
【００５９】
本発明の放射線遮蔽保護具１’は、放射線遮蔽保護具１’の後部股上部カバー部１０’の右側端部１０’Ｒと左側端部１０’Ｌを、後ろ側から周り込むようにして、装着者の腹部前方に持ってきて、連結補助具３０’によって先に後部股上部カバー部１０’の右側端部１０’Ｒと左側端部１０’Ｌとを接続状態とし、装着者の腹部を締め付けて安定させる。次に、前部を覆う前部股上部カバー部２０’を股下から腹部前方に持ってくる。ここで、後部股上部カバー部１０’と前部股上部カバー部２０’とを右側連結補助具３１’および左側連結補助具３２’を介して貼り付けることで、放射線遮蔽保護具１’を装着する。以上のような順番で装着するため、装着しやすく、またずり落ちにく。
【００６０】
さらに、前部股上部カバー部２０’の右側に、前部右側ベルト通し部４１’が備えられる。前部股上部カバー部２０’の左側に、前部左側ベルト通し部４２’が備えられる。前部右側ベルト通し部４１’と前部左側ベルト通し部４２’は、中心付近でもよいが、装着者の腰骨に相当する辺りの、前部股上部カバー部２０’の腰幅方向外側付近に設けられている方がよい。これにより、ベルトを通したとき、よりずれにくく、放射線遮蔽保護具１’を装着することができる。
【００６１】
後部股上部カバー部１０’の、装着者の前部である腹部まで周り込むように形成された部位の右側端部１０’Ｒと左側端部１０’Ｌは連結補助具３０’によって接続状態と非接続状態となることができるようになっている。なお、連結補助具３０’は、後部股上部カバー部１０’よりも装着者側に配置されるため、図９においては、点線で示している。具体的には、連結補助具３０’の両面は、面ファスナーのループ状に密集して起毛された状態となっている。一方、放射線遮蔽保護具１’側である後部股上部カバー部１０’は、面ファスナーのフック状に起毛された状態となっている。これにより、ループ状に密集して起毛された側とフック状に起毛された側が押し付けられ、張り付くようにできている。
【００６２】
ここで、連結補助具３０’は、放射線遮蔽保護具１’と別体となっているが、右側端部１０’Ｒまたは左側端部１０’Ｌのどちらかと一体または縫い付けて接続状態となっていてもよい。この場合、片方だけが接続状態と非接続状態となることができるようになる。
【００６３】
図１０は、本発明の第２実施形態に係る放射線遮蔽保護具１’を開いた状態で前面から見た図である。図１０は、放射線遮蔽保護具１’に設けられた面ファスナーの配置を示す図である。放射線遮蔽保護具１’は、着用する前の開かれた状態では、後部股上部カバー部１０’の右側端部１０’Ｒと左側端部１０’Ｌが左右に開かれた状態となっている。また、前部股上部カバー部２０’は、下方に裏返った状態となっている。後部股上部カバー部１０’は、装着者側である内側が見えた状態となっている。前部股上部カバー部２０’も、裏返って、装着者側である内側が見えた状態となっている。なお、ここで、内側（または裏側）とは、装着者が放射線遮蔽保護具１’を装着したときの装着者側であり、外側（または表側）とは、装着者が放射線遮蔽保護具１’を装着したときの装着者側とは反対側のことである。
【００６４】
後部股上部カバー部１０’の右側端部１０’Ｒと左側端部１０’Ｌは、放射線遮蔽保護具１’の腰部に相当する部位から脚へ向けて斜めに、扇形状を示すように形成されている。これは、人体において腰部の周囲よりも、左右の大腿部の周囲の和の方が長いためである。この右側端部１０’Ｒと左側端部１０’Ｌの端の線と所定の幅を空けて、後部右面ファスナー５１’と後部左面ファスナー５２’が、放射線遮蔽保護具１’の外側に設けられている。図１０において、後部右面ファスナー５１’と後部左面ファスナー５２’は、正面側から見ることができないため、点線で示している。
【００６５】
右側端部１０’Ｒの腰部側の端と後部右面ファスナー５１’の間の距離Ｒ１は、右側端部１０’Ｒの大腿部側の端と後部右面ファスナー５１’の間の距離Ｒ３に比べて広い。つまり、後部右面ファスナー５１’は、右側端部１０’Ｒの端の線と平行に設けられているのではなく、大腿部側に行くに従って、右側端部１０’Ｒに近づくように斜めに設けられている。
【００６６】
同様に、左側端部１０’Ｌの腰部側の端と後部左面ファスナー５２’の間の距離Ｒ１は、左側端部１０’Ｌの大腿部側の端と後部左面ファスナー５２’の間の距離Ｒ３に比べて広い。つまり、後部左面ファスナー５２’は、左側端部１０’Ｌの端の線と平行に設けられているのではなく、大腿部側に行くに従って、左側端部１０’Ｌに近づくように斜めに設けられている。
【００６７】
このように後部右面ファスナー５１’と後部左面ファスナー５２’を配置したので、腰部の周囲が大きい人から小さい人まで対応でき、また、大腿部の周囲が大きい人から小さい人まで、フィットし、ずれにくい放射線遮蔽保護具１’とすることができる。
【００６８】
後部股上部カバー部１０’の右側端部１０’Ｒの上部に連結用右側面ファスナー５５’が設けられる。後部股上部カバー部１０’の左側端部１０’Ｌの上部に連結用左側面ファスナー５６’が設けられる。連結用右側面ファスナー５５’および連結用左側面ファスナー５６’は、ほぼ四角形状となっているが、その他の丸形状や台形などであってもよい。
【００６９】
連結補助具３０’は、連結用右側面ファスナー５５’および連結用左側面ファスナー５６’に押し付けられ、互いに貼り付く。また、ループ状に密集して起毛された連結補助具３０’は、フック状に起毛された連結用右側面ファスナー５５’および連結用左側面ファスナー５６’に対して貼り付けたり剥がしたりすることが自在にできる。
【００７０】
次に、前部股上部カバー部２０’は、装着者の股下側から上側に向かって、装着者の腹部に相当する部位を覆うような形状となっている。このため、前部股上部カバー部２０’は、後部股上部カバー部１０’の股部１０’Ｍから連接して形成されている。
【００７１】
前部股上部カバー部２０’の右側の端に沿って、前部右面ファスナー５３’が形成される。前部股上部カバー部２０’の左側の端に沿って、前部左面ファスナー５４’が形成される。
【００７２】
前部股上部カバー部２０’の中心であって、上部裏側に前部股上部面ファスナー５７’が形成されている。前部股上部面ファスナー５７’は、右側端部１０’Ｒと左側端部１０’Ｌの間から露出する連結補助具３０’に張り付き、両手で大腿部の調節ができ、より確実に着用可能となる。特に腹部の周囲が長い体型の装着者の場合、右側端部１０’Ｒと左側端部１０’Ｌの間が広くあき、ずれやすいので、前部股上部面ファスナー５７’が前部股上部カバー部２０’ａで連結補助具３０’に張り付くことで、確実な着用に効果がある。
【００７３】
次に図１１に基づいて、第２実施形態に係る放射線遮蔽保護具１’を開いた状態で後ろ面から見た状態を説明する。図１１は、本発明の第２実施形態に係る放射線遮蔽保護具１’を開いた状態で後ろ面から見た図である。後部股上部カバー部１０’の右側端部１０’Ｒと左側端部１０’Ｌは、放射線遮蔽保護具１’の腰部に相当する部位から脚へ向けて斜めに、扇形状を示すように形成されている。この右側端部１０’Ｒの端の線から所定の幅を空けて、後部右面ファスナー５１’が形成されている。さらに、左側端部１０’Ｌの端の線から所定の幅を空けて、後部左面ファスナー５２’が形成されている。
【００７４】
後部右面ファスナー５１’と後部左面ファスナー５２’は、装着者側とは反対側の面、つまり表側に形成されている。また同じ表側に、２つの後部右側ベルト通し部４３’と２つの後部左側ベルト通し部４４’の計４つの後部ベルト通し部が形成されている。後部右側ベルト通し部４３’と後部左側ベルト通し部４４’は、装着者の背骨と骨盤の左右の端の中央付近に設けられる。４つの後部ベルト通し部としたが、幅の広いベルト通し部が左右に１つずつであってもよい。
【００７５】
後部股上部カバー部１０’の右側端部１０’Ｒの上部に連結用右側面ファスナー５５’が設けられる。後部股上部カバー部１０’の左側端部１０’Ｌの上部に連結用左側面ファスナー５６’が設けられる。連結用右側面ファスナー５５’と連結用左側面ファスナー５６’は、装着者側に形成されるため、図１１では、点線で示している。
【００７６】
第２実施形態に係る放射線遮蔽保護具１’は、図４〜７で前述したのと同様に穿くことができるため、穿く工程の説明は省略する。
【００７７】
次に、図１２に基づいて、放射線遮蔽保護具１’を穿き、サスペンダーによって放射線遮蔽保護具１’をつるすことで、ずれにくく、作業がしやすい状態となることを説明する。図１２は、本発明の第２実施形態に係る放射線遮蔽保護具１’を穿き、サスペンダーによって放射線遮蔽保護具１’をつるした状態を示す図である。
【００７８】
サスペンダーは、右側サスペンダーベルト７０、右側装着具７１、右側サスペンダー長調整具７２、左側サスペンダーベルト７３、左側装着具７４、左側サスペンダー長調整具７５によって構成される。装着者は、ベルト６０を前部右側ベルト通し部４１と前部左側ベルト通し部４２と後部右側ベルト通し部４３と後部左側ベルト通し部４４に通し、バックル６１で締め付けを調整する。さらに右側サスペンダーベルト７０が、右側装着具７１によってベルト６０に取り付けられる。右側サスペンダーベルト７０は右側サスペンダー長調整具７２によって長さが調整される。同様に左側サスペンダーベルト７３が、左側装着具７４によってベルト６０に取り付けられる。左側サスペンダーベルト７３は左側サスペンダー長調整具７５によって長さが調整される。上記のように、サスペンダー式にベルト６０が取り付けられた放射線遮蔽保護具１’をつるして所定の位置に保持することにより、放射線遮蔽保護具１’がずり落ちにくくなる。
【００７９】
＜本発明の第３実施形態＞
次に、図１３に基づいて、本発明の第３実施形態に係る上着放射線保護具８０を説明する。図１３は、本発明の第３実施形態に係る上着放射線保護具を身に付けた状態を示す図である。
【００８０】
本発明の第３実施形態に係る上着放射線保護具８０は、装着者の上半身に装着可能な上着放射線保護具８０であって、上着放射線保護具８０は、装着者の右上腕部の少なくとも半分以上をカバーし、上着放射線保護具８０は、装着者の左上腕部の少なくとも半分以上をカバーする。具体的には、上着放射線保護具８０は、従来のベスト状の保護具に対して、右上腕部の少なくとも半分以上をカバーする右上腕部カバー部８０Ｒと左上腕部の少なくとも半分以上をカバーする左上腕部カバー部８０Ｌとを備える。これにより、上腕部における被ばく線量を抑えることができる。
【００８１】
さらに、装着者の前方中心に沿って、上着第１面ファスナー８１と上着第２面ファスナー８２が形成されており、連結補助具３３を介して、貼り付けられる。本発明によれば、従来のように人体の胸部、腹部だけでなく、人体の胸部及び上腕部、腹部及び大腿部を保護することで、被ばく線量評価基準に則した形状となり、規定された基準に基づく評価方法を容易にするための保護服を提供することができる。
【産業上の利用可能性】
【００８２】
本発明の放射線遮蔽保護具および上着放射線保護具は、放射線雰囲気の中で作業をする際に利用することができる。
【符号の説明】
【００８３】
１  放射線遮蔽保護具
１０  後部股上部カバー部
１０Ｌ  左側端部
１０Ｍ  股部
１０Ｒ  右側端部
１１  後部右足大腿部カバー部
１２  後部左足大腿部カバー部
２０  前部股上部カバー部
２１  右足大腿部カバー部
２２  左足大腿部カバー部
２３  前部右足大腿部カバー部
２４  前部左足大腿部カバー部
３０  連結補助具
３１  右側連結補助具
３２  左側連結補助具
３３  連結補助具
４１  前部右側ベルト通し部
４２  前部左側ベルト通し部
４３  後部右側ベルト通し部
４４  後部左側ベルト通し部
５１  後部右面ファスナー
５２  後部左面ファスナー
５３  前部右面ファスナー
５４  前部左面ファスナー
５５  連結用右側面ファスナー
５６  連結用左側面ファスナー
５７  前部股上部面ファスナー
６０  ベルト
６１  バックル
７０  右側サスペンダーベルト
７１  右側装着具
７２  右側サスペンダー長調整具
７３  左側サスペンダーベルト
７４  左側装着具
７５  左側サスペンダー長調整具
８０  上着放射線保護具
８０Ｌ  左上腕部カバー部
８０Ｒ  右上腕部カバー部
８１  上着第１面ファスナー
８２  上着第２面ファスナー
【図１】
2015219207.tif 000003
【図２】
2015219207.tif 000004
【図３】
2015219207.tif 000005
【図４】
2015219207.tif 000006
【図７】
2015219207.tif 000007
【図８】
2015219207.tif 000008
【図９】
2015219207.tif 000009
【図１０】
2015219207.tif 000010
【図１１】
2015219207.tif 000011
【図１２】
2015219207.tif 000012
【図１３】
2015219207.tif 000013
【図１４】
2015219207.tif 000014
【図５】
2015219207.tif 000015
【図６】
2015219207.tif 000016